(57)【要約】      （修正有）【課題】バッグ本体のバリエーションを多機能化し得て汎用性を向上することができる折畳式バッグを提供すること。【解決手段】表面側と裏面側とで雌雄を異ならせて互いに係合可能な係合面を有する折り畳み可能な第１基布２及び第２基布３は、所定の展開形状に対して中心Ｐを含む半割りの同形状とされ、かつ、表面側の係合面と裏面側の係合面とを互い違いとした状態で所定の展開形状を呈する折り畳み可能な一体シート状物１となるように接合される接合辺２ａ，３ａと、各接合辺２ａ，３ａを接合して所定の展開形状を呈する一体シート状物１としたときに、中心Ｐを挟んで対向する少なくとも一対の穴部８，９と、を備え、所定の展開形状を呈する一体シート状物１を折り畳んだときに、第１基布２又は第２基布３の表面側の係合面と裏面側の係合面とが係合しあって所定の立体形状のバッグ本体１０に形成されている。【選択図】図１
2019098026.tif 000002
【特許請求の範囲】
【請求項１】
表面側と裏面側とで雌雄を異ならせて互いに係合可能な係合面を有する折り畳み可能な第１基布及び第２基布からなり、
前記第１基布及び前記第２基布は、
所定の展開形状に対して中心を含む半割りの同形状とされ、かつ、
前記表面側の係合面と前記裏面側の係合面とを互い違いとした状態で前記所定の展開形状を呈する折り畳み可能な一体シート状物となるように接合される接合辺と、
前記各接合辺を接合して前記所定の展開形状を呈する前記一体シート状物としたときに、前記中心を挟んで対向する少なくとも一対の穴部と、
を備え、
前記所定の展開形状を呈する前記一体シート状物を折り畳んだときに、前記第１基布又は前記第２基布の前記表面側の係合面と前記裏面側の係合面とが係合しあって所定の立体形状のバッグ本体に形成されている、
ことを特徴とする折畳式バッグ。
【請求項２】
前記一体シート状物を前記所定の展開形状から折り畳んで前記所定の立体形状のバッグ本体を構成したときに、前記穴部が把手部となっている、
ことを特徴とする請求項１に記載の折畳式バッグ。
【請求項３】
前記第１基布及び前記第２基布は、
二等辺三角形状を呈しているとともに、その等辺で挟む長辺を前記接合辺として接合したときの前記所定の展開形状が正方形を呈する前記一体シート状物を構成し、
前記穴部は、
前記所定の展開形状が正方形であるときの、４つの角部のうち、前記第１基布と第２基布とに跨らない前記中心を挟んで対向する角部に形成されている、
ことを特徴とする請求項１又は請求項２に記載の折畳式バッグ。
【請求項４】
前記第１基布及び前記第２基布は、
二等辺三角形状を呈しているとともに、その等辺で挟む長辺を前記接合辺として接合したときの前記所定の展開形状が正方形を呈する前記一体シート状物を構成し、
前記穴部は、
前記所定の展開形状が正方形であるときの、４つの角部のうち、前記第１基布と第２基布とに跨る前記中心を挟んで対向する角部に形成されている、
ことを特徴とする請求項１又は請求項２に記載の折畳式バッグ。
【請求項５】
前記第１基布及び前記第２基布は、
二等辺三角形状を呈しているとともに、その等辺で挟む長辺を前記接合辺として接合したときの前記所定の展開形状が正方形を呈する前記一体シート状物を構成し、
前記穴部は、
前記所定の展開形状が正方形であるときの、４つの角部に形成されている、
ことを特徴とする請求項１又は請求項２に記載の折畳式バッグ。
【請求項６】
請求項３又は請求項５に記載の前記一体シート状物を用い、
前記第１基布の雄側係合面又は雌側係合面及び第２基布の雌側係合面又は雄側係合面を一面側とした状態で、前記第１基布又は前記第２基布の何れか一方の角部を頂点として、幅方向の左側領域又は右側領域を向かって一面右側又は一面左側に折り返す第１折返手順と、
幅方向の右側領域又は左側領域を向かって一面左側又は一面右側に折り返す第２折返手順と、
前記第１基布と第２基布とに跨らない前記角部に位置する前記第１基布の穴部と前記第２基布の穴部とが重なり合うように、前記接合辺を谷折り線として、前記第２基布又は第１基布の一面側を折り返す第３折返手順と、
を備えることを特徴とする折畳式バッグの折り畳み方法。
【請求項７】
請求項３乃至請求項５の何れか１の請求項に記載の前記一体シート状物を用い、
前記第１基布又は前記第２基布の何れか一方の角部を他方の角部に一致させる第１半折手順と、
重なり合う前記第１基布と前記第２基布の前記角部と対向する底辺側領域を前記角部を含む頂点側領域を残して折り返す第２半折手順と、
前記頂点側領域を前記低片側領域に向かって全体が帯状体となるように折り返す第４折返手順と、
前記帯状体の全体が帯状となるように両端を重なり合わせる接続手順と、
を備えることを特徴とする折畳式バッグの折り畳み方法。
【請求項８】
請求項４又は請求項５に記載の前記一体シート状物を用い、
前記第１基布の雄側係合面又は雌側係合面及び第２基布の雌側係合面又は雄側係合面を一面側とした状態で、前記第１基布と前記第２基布とに跨る一方の前記角部を頂点として、他方の前記角部を含む下半分領域又は前記一方の角部を含む上半分領域を向かって上側又は下側に折り返す第３半折手順と、
前記第２基布又は前記第１基布の斜辺が略水平となるように、かつ、左側角部又は右側角部が前記第１基布又は前記第２基布の斜辺とほぼ一致するように、幅方向の左側領域又は右側領域を一面側又は他面側に折り返す第５折返手順と、
前記第１基布又は前記第２基布の斜辺が略水平となるように、かつ、右側角部又は左側角部が前記第２基布又は前記第１基布の斜辺とほぼ一致するように、幅方向の右側領域又は左側領域を一面側又は他面側に折り返す第６折返手順と、
を備えることを特徴とする折畳式バッグの折り畳み方法。
【発明の詳細な説明】
【技術分野】
【０００１】
本発明は、所定の展開形状を呈するシート状物を折り畳んで形成される折畳式バッグ及び折畳式バッグの折り畳み方法に関する。
【背景技術】
【０００２】
従来、所定の展開形状を呈するシート状物を折り畳んで形成される折畳式バッグが周知である。
【０００３】
例えば、周知の紙袋にあっては、矩形のシートの対向する２辺をノリ付けした後に、一方の開口を折り畳むとともに、重なり合う部分をノリ付けすることによって袋状としている。
【０００４】
しかしながら、このような紙袋では、所定の展開形状を適宜に折り畳んで持ち運ぶことはできず、紙袋としての完成品に対してさらに折り畳む必要が生じ、嵩張りやすいという問題が生じていた。
【０００５】
また、周知の風呂敷にあっては、所定の展開形状を適宜に折り畳んで持ち歩くことは容易であるものの、対向する各角部同士を結ばないと収納物が飛び出てしまい、収納作業に手間を要してしまうという問題が生じていた。また、例え、４つの角部付近に手提げ用の穴を設けたとしても（例えば、特許文献１参照）、被収納物が中で遊んでしまい易く、小さい被収納物を収納するには不向きであるという問題が生じていた。
【０００６】
一方、一枚のシート材にスナップボタンを設け、スナップボタンによる固定を解除してシート材を展開した展開状態と、シート材を折り曲げて折曲部同士をスナップボタンで固定した組立状態と、に可変可能とした折畳式バッグが提案されている（例えば、特許文献２参照）。
【先行技術文献】
【特許文献】
【０００７】
【特許文献１】実用新案登録第３０１５６２２号公報
【特許文献２】実用新案登録第３２１０８３１号公報
【発明の概要】
【発明が解決しようとする課題】
【０００８】
しかしながら、特許文献２に開示の折畳式バッグは、スナップボタンの位置が固定であるために組立状態のバッグ本体の形状が限定されてしまううえ、風呂敷の場合と同様に被収納物がバッグ本体の中で遊んでしまい易く、小さい被収納物を収納するには不向きであるという問題が生じていた。
【０００９】
本発明は、一枚の布材を複数の形態のバッグ形状に折り畳むことにより、様々なサイズや形状の収納物を安定した状態で内部に収納して容易に搬送することができる折畳式バッグ及び折畳式バッグの折り畳み方法を提供することを目的とする。
【課題を解決するための手段】
【００１０】
上記目的を達成するため、請求項１記載の発明にあっては、表面側と裏面側とで雌雄を異ならせて互いに係合可能な係合面を有する折り畳み可能な第１基布及び第２基布からなり、第１基布及び第２基布は、所定の展開形状に対して中心を含む半割りの同形状とされ、かつ、表面側の係合面と裏面側の係合面とを互い違いとした状態で所定の展開形状を呈する折り畳み可能な一体シート状物となるように接合される接合辺と、各接合辺を接合して所定の展開形状を呈する一体シート状物としたときに、中心を挟んで対向する少なくとも一対の穴部と、を備え、所定の展開形状を呈する一体シート状物を折り畳んだときに、第１基布又は第２基布の表面側の係合面と裏面側の係合面とが係合しあって所定の立体形状のバッグ本体に形成されている、ものである。
【００１１】
請求項２記載の発明にあっては、一体シート状物を所定の展開形状から折り畳んで所定の立体形状のバッグ本体を構成したときに、穴部が把手部となっている、ものである。
【００１２】
請求項３記載の発明にあっては、第１基布及び第２基布は、二等辺三角形状を呈しているとともに、その等辺で挟む長辺を接合辺として接合したときの所定の展開形状が正方形を呈する一体シート状物を構成し、穴部は、所定の展開形状が正方形であるときの、４つの角部のうち、第１基布と第２基布とに跨らない中心を挟んで対向する角部に形成されている、ものである。
【００１３】
請求項４記載の発明にあっては、第１基布及び第２基布は、二等辺三角形状を呈しているとともに、その等辺で挟む長辺を接合辺として接合したときの所定の展開形状が正方形を呈する一体シート状物を構成し、穴部は、所定の展開形状が正方形であるときの、４つの角部のうち、第１基布と第２基布とに跨る中心を挟んで対向する角部に形成されている、ものである。
【００１４】
請求項５記載の発明にあっては、第１基布及び第２基布は、二等辺三角形状を呈しているとともに、その等辺で挟む長辺を接合辺として接合したときの所定の展開形状が正方形を呈する一体シート状物を構成し、穴部は、所定の展開形状が正方形であるときの、４つの角部に形成されている、ものである。
【００１５】
請求項６記載の発明にあっては、請求項３又は請求項５に記載の一体シート状物を用い、第１基布の雄側係合面又は雌側係合面及び第２基布の雌側係合面又は雄側係合面を一面側とした状態で、第１基布又は第２基布の何れか一方の角部を頂点として、幅方向の左側領域又は右側領域を向かって一面右側又は一面左側に折り返す第１折返手順と、幅方向の右側領域又は左側領域を向かって一面左側又は一面右側に折り返す第２折返手順と、第１基布と第２基布とに跨らない角部に位置する第１基布の穴部と第２基布の穴部とが重なり合うように、接合辺を谷折り線として、第２基布又は第１基布の一面側を折り返す第３折返手順と、を備える、ものである。
【００１６】
請求項７記載の発明にあっては、請求項３乃至請求項５の何れか１の請求項に記載の一体シート状物を用い、第１基布又は第２基布の何れか一方の角部を他方の角部に一致させる第１半折手順と、重なり合う第１基布と第２基布の角部と対向する底辺側領域を角部を含む頂点側領域を残して折り返す第２半折手順と、頂点側領域を低片側領域に向かって全体が帯状体となるように折り返す第４折返手順と、帯状体の全体が帯状となるように両端を重なり合わせる接続手順と、を備える、ものである。
【００１７】
請求項８記載の発明にあっては、請求項４又は請求項５に記載の一体シート状物を用い、第１基布の雄側係合面又は雌側係合面及び第２基布の雌側係合面又は雄側係合面を一面側とした状態で、第１基布と第２基布とに跨る一方の角部を頂点として、他方の角部を含む下半分領域又は一方の角部を含む上半分領域を向かって上側又は下側に折り返す第３半折手順と、第２基布又は第１基布の斜辺が略水平となるように、かつ、左側角部又は右側角部が第１基布又は第２基布の斜辺とほぼ一致するように、幅方向の左側領域又は右側領域を一面側又は他面側に折り返す第５折返手順と、第１基布又は第２基布の斜辺が略水平となるように、かつ、右側角部又は左側角部が第２基布又は第１基布の斜辺とほぼ一致するように、幅方向の右側領域又は左側領域を一面側又は他面側に折り返す第６折返手順と、を備える、ものである。
【発明の効果】
【００１８】
本発明によれば、第１基布及び第２基布のそれぞれの表面側と裏面側とが雌雄の異なる係合面となっていることから、折り畳み過程及びバッグ本体としての最終形状において第１基布又は第２基布であるかに拘らず、雌雄の異なる係合面同士を互いに面状に係合させることができる。
【００１９】
これにより、任意に被収納物を収納した状態でバッグ本体を構成した場合であっても、被収納物の周辺を含む部位の係合面が雌雄で異なっていれば、被収納物がその位置で留まるように包み込むことができる。また、被収納物を収納していない状態であっても、折り畳んだ際には、対向する面の間に空気が入り難く、しかも、展開形状に復帰し難くすることができ、折り畳み形状を容易に維持することができるため、他のバッグ等に収納したときに嵩張り難くすることができる。
【００２０】
したがって、折り畳んだ際のバッグ本体のバリエーションを多機能化し得て汎用性を向上することができる。
【００２１】
また、穴部が露出するように折り畳むことによって、この穴部を把手部として利用することができる。
【００２２】
また、所定の展開形状が正方形となる一体シート状物となるように、第１基布及び第２基布を二等辺三角形状として接合することにより、利用者が馴染みやすい古来の風呂敷包みの形態として利用しても４角を結ぶ必要がない。しかも、穴部の位置を、４つの角部のうち、第１基布と第２基布とに跨らない中心を挟んで対向する角部、４つの角部のうち、第１基布と第２基布とに跨る中心を挟んで対向する角部、４つの角部、に形成することにより、各穴部を把手部として利用する規定の折り畳み形状に折り畳んだバッグ本体を容易に形成することができる。
【００２３】
さらに、一体シート状物を所定の手順にしたがって折り返すことにより、上述した各バッグ本体を容易に形成することができる。
【００２４】
請求項１〜８記載の発明に係る折畳式バッグ及び折畳式バッグの折り畳み方法によれば、折り畳んだ際のバッグ本体のバリエーションを多機能化し得て汎用性を向上することができる。
即ち、表面側と裏面側とで雌雄を異ならせて互いに係合可能な係合面を有する折り畳み可能な第１基布及び第２基布からなる一体シート状物を、複数の折り畳み方により折り畳むことによって、異なる形態のバックを形成することができ、夫々、様々な用途に使用することができるため、同一の一体シート状物を複数の形態に変形してバッグを構成し、多用途に使用することができ、非常に便利である。
その結果、折り畳んで形成されるバッグ本体内にポケット部が形成されることから、ポケット部内に様々な所定のサイズ及び形状の収納物を、安定した状態で内部に収納して容易に搬送することができる。
また、一体シート状物は一般的な風呂敷と同様の形態でありながら、折り畳むことによりポケット部を形成して内部に収納物を確実に収納でき、さらに把持部を把持して搬送できるバッグ等に形態を容易に変化させて使用することができる。
さらに、従来のシート材に複数のスナップボタンを設けて、スナップボタンを相互に係止することにより折り畳み状態を維持してバッグの形態を形成する場合とは異なり、スナップボタンを布材に固定する必要がないことから、製造コスト及び製造工数を低減することができる折畳式バッグを提供することができる。
また、特に、請求項７記載の発明に係る折畳式バッグの折畳方法により形成されるバッグにあっては、小型の収納物を収納した状態で、もしくは収納物を収納しない状態で、折り畳むことにより全体帯状に形成し、ウェストポーチとして使用者の腰に巻きつけて装着することができる。その結果、使用者の両手を解放して自由に行動できる折畳式バッグを提供することが可能となる。
【図面の簡単な説明】
【００２５】
【図１】本発明の一実施の形態に係る折畳式バッグを示し、（Ａ）は所定の展開形状が正方形であるときの一体シート状物の正面図、（Ｂ）はバッグ本体の一例の正面図である。
【図２】本発明の一実施の形態に係る折畳式バッグを示し、図１（Ａ）の展開形状の状態から図１（Ｂ）のバッグ本体を形成するに至る折り畳み例を時系列で示す折り畳み方法の説明図である。
【図３】本発明の一実施の形態に係る折畳式バッグを示し、図１（Ａ）の展開形状の状態からポーチ状のバッグ本体を形成するに至る折り畳み例を時系列で示す折り畳み方法の説明図である。
【図４】本発明の一実施の形態に係る折畳式バッグを示し、（Ａ）は所定の展開形状が正方形であるときの一体シート状物の正面図、（Ｂ）はバッグ本体の他例の正面図である。
【図５】本発明の一実施の形態に係る折畳式バッグを示し、図４（Ａ）の展開形状の状態から図４（Ｂ）のバッグ本体を形成するに至る折り畳み例を時系列で示す折り畳み方法の説明図である。
【図６】本発明の一実施の形態に係る折畳式バッグを示し、所定の展開形状が正方形であるときの４つの角部に穴部を設けた場合の一体シート状物の正面図である。
【図７】本発明の一実施の形態に係る折畳式バッグを示し、所定の展開形状が正方形であるときの４つの角部をＲ状とした場合の一体シート状物の正面図である。
【図８】本発明の一実施の形態に係る折畳式バッグを示し、所定の展開形状が真円形状である場合の一体シート状物の正面図である。
【発明を実施するための形態】
【００２６】
次に、本発明に係る一実施の形態について図面を参照して説明する。なお、以下の説明において、上下左右等の方向は、図示を基準として説明するが、説明の便宜上としての方向であって、本発明を限定するものではない。
【００２７】
また、以下の説明において、表面側及び裏面側は、所謂リバーシブル仕様であるために限定されるものではなく、特に断りのない限り、基布としての表面側を「雄側」、基布としての裏面側を「雌側」、とも称する。また、所定の展開形状となっているときの図示上の平面側（正面側）を基準として、平面側に位置する一方の面を「一面側」、その反対側である他方の面を「他面側」とも称する。
【００２８】
（第１実施形態）
図１（Ａ）に示すように、一体シート状物１は、二等辺三角形状とされた一対の第１基布２及び第２基布３を備え、所定の展開形状が正方形を呈している。
【００２９】
図１に示すように、第１基布２及び第２基布３は、表面側と裏面側とで雌雄を異ならせて互いに係合可能な雄側係合面４，５と雌側係合面６，７とを有している。
【００３０】
雄側係合面４，５には、例えば、ポリエステルの立毛生地を用いることができる。また、雌側係合面６，７には、例えば、ポリエステルナノファイバのパイル生地を用いることができる。
【００３１】
これにより、生地の相違に伴う特性によって互いに係合した際には高い係合力を有していながら、触感並びに風合いが良く、しかも、変形容易な薄い生地の第１基布２及び第２基布３とすることができる。
【００３２】
したがって、第１基布２及び第２基布３は、生地の２枚合わせによって表裏、すなわち、雄側係合面４，５と雌側係合面６，７とを構成している。
【００３３】
一体シート状物１は、このような第１基布２及び第２基布３を所定の展開形状（正方形状）に対して中心Ｐを含む半割りの同形状とした接合体である。
【００３４】
ここで、第１基布２及び第２基布３は、雄側係合面４，５と雌側係合面６，７とを互い違いとした状態で所定の展開形状を呈する折り畳み可能な一体シート状物１となるように接合される接合辺２ａ，３ａと、各接合辺２ａ，３ａを接合して所定の展開形状を呈する一体シート状物１としたときに、中心Ｐを挟んで対向する少なくとも一対の穴部８，９と、を備えている。
【００３５】
接合辺２ａ，３ａは、本実施の形態では、二等辺三角形状を呈する第１基布２及び第２基布３の等辺で挟む長辺である。なお、接合辺２ａ，３ａは、例えば、縫製や糊付けによる接合でもよいし、パッチ等を用いた接合でもよい。
【００３６】
穴部８，９は、所定の展開形状が正方形であるときの、４つの角部のうち、第１基布２と第２基布３とに跨らない中心Ｐを挟んで対向する角部の同一部位において同一の細長長方形状からなるスリット状に形成されている。
【００３７】
図１（Ｂ）に示すように、一例としての折畳式バッグＡは、このような一体シート状物１を所定の順序で折り畳むことによって形成された立体形状のバッグ本体１０とすることができる。
【００３８】
このような基本構成の一体シート状物１を用いた折畳式バッグＡの具体的な形態としてバッグ本体１０を形成する折り畳みの手順を説明する。
【００３９】
まず、図２（Ａ）に示すように、所定の展開形状（正方形状）の一体シート状物１は、第１基布２の雄側係合面４及び第２基布３の雌側係合面７を一面側にするとともに、第１基布２（又は第２基布３）を頂点として、図２（Ｂ）に示すように、幅方向約３分の１の左側領域（又は右側領域）を向かって一面右側（又は一面左側）に折り返す（第１折返手順）。
【００４０】
これにより、折り返した元の幅方向約３分の１の左側領域（又は右側領域）の他面側が一面側に反転するとともに、折り返した元の幅方向約３分の１の左側領域（又は右側領域）の一面側が幅方向約３分の１の中央領域の一部と重なり合う。
【００４１】
したがって、反転した元の幅方向約３分の１の左側領域（又は右側領域）の他面側に位置していた第１基布２の雌側係合面６の一部が一面側に露出すると同時に、反転した元の幅方向約３分の１の左側領域（又は右側領域）の他面側に位置していた第２基布３の雄側係合面５の一部が一面側に露出する。
【００４２】
次に、図２（Ｃ）に示すように、第１基布２（又は第２基布３）を頂点として、幅方向約３分の１の右側領域（又は左側領域）を向かって一面左側（又は一面右側）に折り返す（第２折返手順）。
【００４３】
これにより、折り返した元の幅方向約３分の１の右側領域（又は左側領域）の他面側が一面側に反転するとともに、折り返した元の幅方向約３分の１の右側領域（又は左側領域）の一面側が、折り返した元の３分の１の左側領域（又は右側領域）の一部及び幅方向約３分の１の中央領域の一部と重なり合う。
【００４４】
したがって、反転した元の幅方向約３分の１の右側領域（又は左側領域）の他面側に位置していた第１基布２の雌側係合面６の一部が一面側に露出すると同時に、反転した元の幅方向約３分の１の右側領域（又は左側領域）の他面側に位置していた第２基布３の雄側係合面５の一部が一面側に露出する。
【００４５】
ここで、反転した元の幅方向約３分の１の左側領域（又は右側領域）の他面側に位置していた第１基布２の雌側係合面６の一部と反転した元の幅方向約３分の１の右側領域（又は左側領域）の一面側に位置していた第１基布２の雄側係合面４の一部とが互いに重なり合うことで生地の相違に伴う特性によって係合する。
【００４６】
同様に、反転した元の幅方向約３分の１の左側領域（又は右側領域）の他面側に位置していた第２基布３の雄側係合面５の一部と反転した元の幅方向約３分の１の右側領域（又は左側領域）の一面側に位置していた第２基布３の雌側係合面７の一部とが互いに重なり合うことで生地の相違に伴う特性によって係合する。
【００４７】
そして、図２（Ｄ）に示すように、第１基布２の穴部８と第２基布３の穴部９とが重なり合うように、接合辺２ａ，３ａを谷折り線として、第２基布３（又は第１基布２）の一面側を折り返す（第３折返手順）。
【００４８】
これにより、折り返した元の第２基布３(又は第１基布２）の他面側が一面側に反転するとともに、折り返した元の第２基布３(又は第１基布２）の一面側が、折り返した元の第１基布２（又は第２基布３）の一面側と重なり合う。
【００４９】
したがって、反転した元の第２基布３(又は第１基布２）の他面側に位置していた第２基布３(又は第１基布２）の雄側係合面５(又は雌側係合面６）が一面側に露出する。
【００５０】
ここで、反転した元の第２基布３の一面側に位置していた雄側係合面５及び雌側係合面７と元の第１基布２の一面側に位置していた雌側係合面６及び雄側係合面４とが互いに重なり合うことで生地の相違に伴う特性によって係合する。
【００５１】
このように折り畳んで形成されたバッグ本体１０にあっては、穴部８，９を把手部として利用することができるとともに、左右及び下側を閉塞して上側に開閉可能な第１基布２及び第２基布３にそれぞれポケットＰＫを形成することができる。
【００５２】
例えば、一方のポケットＰＫに財布等を被収納物として収納し、他方のポケットＰＫにスマートフォン等を被収納物として収納することができる。
【００５３】
この際、各ポケットＰＫは生地の相違に伴う特性によって重なり合う部分が面状に係合するため、被収納物の大きさに応じて、その被収納物の周囲を取り巻くように互いに係合し合い、被収納物を安定して収納することができる。
【００５４】
ところで、本実施の形態の一例としての折畳式バッグＡは、例えば、図３に示す折り畳み手順を実施することによって、立体形状を呈する帯状のバッグ本体２０を形成し、ポーチとして利用することもできる。
【００５５】
まず、図３（Ａ）に示すように、所定の展開形状（正方形状）の一体シート状物１は、第１基布２の雄側係合面４及び第２基布３の雌側係合面７を一面側にするとともに、第１基布２（又は第２基布３）を頂点として、図３（Ｂ）に示すように、第２基布３を上側（又は第１基布２を下側）、すなわち、第１基布２と第２基布３とが重なるように折り返す（第１半折手順）。
【００５６】
これにより、折り返した元の第２基布３の他面側が一面側に反転するとともに、折り返した元の第１基布２の雄側係合面４と第２基布３の雌側係合面７とが重なり合う。
【００５７】
ここで、頻繁に出し入れする必要の内被収納物、例えば、パスポート等を第１基布２の雄側係合面４と第２基布３の雌側係合面７との間に収納してもよい。
【００５８】
次に、図３（Ｃ）に示すように、重なり合う第１基布２と第２基布３の下側（例えば、約３分の１の底辺側領域）を、角部を含む所定領域（頂点側領域）を残すように、上側へと折り返し（第２半折手順）、さらに、図３（Ｄ）に示すように、重なり合う第１基布２と第２基布３の上側（例えば、約３分の１）を下側へと折り返す（第４折返手順）ことにより、全体として帯状のバッグ本体（帯状体）２０を形成する。
【００５９】
この際、被収納物は、図３（Ｃ）に示す上側を折り返す前の状態で出し入れすることができるとともに、第２基布３の雄側係合面５が第１基布２の雌側係合面６を互いに係合し合いことから、不測に被収納物が飛び出してしまうことを抑制することができる。
【００６０】
一方、図３（Ｄ）に示す帯状のバッグ本体２０としたときの一面側は、全て第１基布２の雌側係合面６である反面、図３(Ｅ)に示す他面側は、両端に第２基布３の雄側係合面５が露出している。
【００６１】
したがって、バッグ本体２０の両端を重ね合わせて帯状とする（接続手順）ことにより、利用者の胴囲を取り巻くポーチとして、一面側の雌側係合面６と他面側の雄側係合面５とが重なり合うと同時に係合し合い、ポーチ形状を維持することができる。
【００６２】
（第２実施形態）
図４（Ａ）に示すように、一体シート状物３１は、二等辺三角形状とされた一対の第１基布３２及び第２基布３３を備え、所定の展開形状が正方形を呈している。
【００６３】
図４に示すように、第１基布３２及び第２基布３３は、表面側と裏面側とで雌雄を異ならせて特性的に互いに係合可能な雄側係合面３４，３５と雌側係合面３６，３７とを有している。
【００６４】
雄側係合面３４，３５には、例えば、ポリエステルの立毛生地を用いることができる。また、雌側係合面３６，３７には、例えば、ポリエステルナノファイバのパイル生地を用いることができる。
【００６５】
これにより、生地の相違に伴う特性によって互いに係合した際には高い係合力を有していながら、触感並びに風合いが良く、しかも、変形容易な薄い生地の第１基布３２及び第２基布３３とすることができる。
【００６６】
したがって、第１基布３２及び第２基布３３は、生地の２枚合わせによって表裏、すなわち、雄側係合面３４，３５と雌側係合面３６，３７とを構成している。
【００６７】
一体シート状物３１は、このような第１基布３２及び第２基布３３を所定の展開形状（正方形状）に対して中心Ｐを含む半割りの同形状とした接合体である。
【００６８】
ここで、第１基布３２及び第２基布３３は、雄側係合面３４，３５と雌側係合面３６，３７とを互い違いとした状態で所定の展開形状を呈する折り畳み可能な一体シート状物３１となるように接合される接合辺３２ａ，３３ａと、各接合辺３２ａ，３３ａを接合して所定の展開形状を呈する一体シート状物３１としたときに、中心Ｐを挟んで対向する少なくとも一対の穴部３８，３９と、を備えている。
【００６９】
接合辺３２ａ，３３ａは、本実施の形態では、二等辺三角形状を呈する第１基布３２及び第２基布３３の等辺で挟む長辺である。なお、接合辺３２ａ，３３ａは、例えば、縫製や糊付けによる接合でもよいし、パッチ等を用いた接合でもよい。
【００７０】
穴部３８，３９は、所定の展開形状が正方形であるときの、４つの角部のうち、第１基布３２と第２基布３３とに跨る中心Ｐを挟んで対向する角部の同一部位において同一の細長長方形状からなるスリット状に形成されている。
【００７１】
図４（Ｂ）に示すように、一例としての折畳式バッグＢは、このような一体シート状物３１を所定の順序で折り畳むことによって形成された立体形状のバッグ本体３０とすることができる。
【００７２】
このような基本構成の一体シート状物３１を用いた折畳式バッグＢの具体的な形態としてバッグ本体３０を形成する折り畳みの手順を説明する。
【００７３】
まず、図５（Ａ）に示すように、所定の展開形状（正方形状）の一体シート状物３１は、第１基布３２の雄側係合面３４及び第２基布３３の雌側係合面３７を一面側にするとともに、第１基布３２と第２基布３３とに跨る一方の角部を頂点として、図５（Ｂ）に示すように、下半分領域（又は上半分領域）を向かって上側（又は下側）に折り返す（第３半折手順）。
【００７４】
これにより、折り返した元の下側領域（又は上側領域）の他面側が一面側に反転するとともに、折り返した元の下側領域（又は上側領域）の一面側が上側領域（又は下側領域）の一面側と重なり合う。
【００７５】
なお、この重なり合う各面は共に雌雄が同じ特性であるため、互いに係合し合うことはない。また、この図５（Ｂ）に示す状態における一面側と他面側とは、共に同じ第１基布３２の雌側係合面３６と第２基布３３の雄側係合面３５である。
【００７６】
次に、図５（Ｃ）に示すように、第２基布３３（又は第１基布３２）の斜辺が略水平となるように、かつ、左側角部（又は右側角部）が第１基布３２(又は第２基布３３）の斜辺とほぼ一致するように、幅方向の左側領域（又は右側領域）を一面側（又は他面側）に折り返す（第５折返手順）。
【００７７】
これにより、折り返した元の幅方向左側領域（又は右側領域）の他面側が一面側に反転するとともに、折り返した元の幅方向左側領域（又は右側領域）の一面側が、折り返した元の中央領域の一部と重なり合う。
【００７８】
したがって、反転した元の幅方向左側領域（又は右側領域）の他面側に位置していた第２基布３３の雄側係合面３５の一部が一面側に露出する。
【００７９】
ここで、反転した元の幅方向左側領域（又は右側領域）の一面側に位置していた第２基布３３の雄側係合面３５の一部と反転した元の右側領域（又は左側領域）の一面側に位置していた第１基布３２の雌側係合面３６の一部とが互いに重なり合うことで生地の相違に伴う特性によって係合する。
【００８０】
そして、図５（Ｄ）に示すように、第１基布３２（又は第２基布３３）の斜辺が略水平となるように、かつ、右側角部（又は左側角部）が第２基布３３(又は第１基布３２）の斜辺とほぼ一致するように、幅方向の右側領域（又は左側領域）を一面側（又は他面側）に折り返す（第６折返手順）。
【００８１】
これにより、折り返した元の幅方向右側領域（又は左側領域）の他面側（又は一面側）が一面側（又は他面側）に反転するとともに、折り返した元の幅方向右側領域（又は左側領域）の一面側（又は他面側）が、折り返した元の中央領域並びに反転した元の幅方向左側領域（又は右側領域）の他面側の一部と重なり合う。
【００８２】
したがって、反転した元の幅方向右側領域（又は左側領域）の他面側（又は一面側）に位置していた第１基布３２の雌側係合面３６の一部が一面側（又は他面側）に露出する。
【００８３】
ここで、反転した元の幅方向右側領域（又は左側領域）の一面側に位置していた第１基布３２の雌側係合面３６の一部と反転した元の左側領域（又は右側領域）の一面側に位置していた第２基布３３の雄側係合面３５の一部とが互いに重なり合うことで生地の相違に伴う特性によって係合する。
【００８４】
なお、第１基布３２の斜辺が略水平となるように、かつ、右側角部が第２基布３３の斜辺とほぼ一致するように、幅方向の右側領域を他面側に折り返した場合、反転した元の幅方向右側領域の他面側に位置していた第２基布３３の雄側係合面３５の一部と反転した元の右側領域の他面側に位置していた第１基布３２の雌側係合面３６の一部とが互いに重なり合うことで生地の相違に伴う特性によって係合する。
【００８５】
このように折り畳んで形成されたバッグ本体３０にあっては、穴部３８，３９を把手部として利用することができるとともに、左右及び下側を閉塞して上側に開閉可能な第１基布３２及び第２基布３３にそれぞれポケットＰＫを形成することができると同時に、第１基布３２と第２基布３３との間にポケットＰＫを形成することができる。
【００８６】
この際、各ポケットＰＫは生地の相違に伴う特性によって重なり合う部分が面状に係合するため、被収納物の大きさに応じて、その被収納物の周囲を取り巻くように互いに係合し合い、被収納物を安定して収納することができる。
【００８７】
ところで、本実施の形態の一例としての折畳式バッグＢは、例えば、図３に示す折り畳み手順を実施することによって、帯状のバッグ本体２０を形成し、ポーチとして利用することもできる。
【００８８】
（第３実施形態）
なお、上記各実施形態では、４つの角部のうち、中心Ｐを挟んで対向する一対の角部に穴部８，９又は穴部３８，３９を設けた場合の一体シート状物１，３１を示したが、例えば、図６に示すように、４つの角部の全てに穴部８，９及び穴部３８，３９を設けたシート状物４１とすれば、第１実施形態並びに第２実施形態で示した全ての態様のバッグ本体１０，２０，３０として適用することができる。
【００８９】
本発明によれば、第１基布２及び第２基布３のそれぞれの表面側と裏面側とが雌雄の異なる雄側係合面４，５及び雌側係合面６，７となっていることから、折り畳み過程及びバッグ本体１０としての最終形状において第１基布２又は第２基布３であるかに拘らず、雌雄の異なる雄側係合面４，５及び雌側係合面６，７を互いに面状に係合させることができる。
【００９０】
これにより、任意に被収納物を収納した状態でバッグ本体１０を構成した場合であっても、被収納物の周辺を含む部位の雄側係合面４，５及び雌側係合面６，７が雌雄で異なっていれば、被収納物がその位置で留まるように包み込むことができる。また、被収納物を収納していない状態であっても、折り畳んだ際には、対向する面の間に空気が入り難く、しかも、展開形状に復帰し難くすることができ、折り畳み形状を容易に維持することができるため、他のバッグ等に収納したときに嵩張り難くすることができる。
【００９１】
したがって、折り畳んだ際のバッグ本体１０のバリエーションを多機能化し得て汎用性を向上することができる。
【００９２】
また、穴部８，９が露出するように折り畳むことによって、この穴部８，９を把手部として利用することができる。
【００９３】
また、所定の展開形状が正方形となる一体シート状物１となるように、第１基布２及び第２基布３を二等辺三角形状として接合することにより、利用者が馴染みやすい古来の風呂敷包みの形態として利用しても４角を結ぶ必要がない。
【００９４】
しかも、穴部８，９の位置を、４つの角部のうち、第１基布２と第２基布３とに跨らない中心Ｐを挟んで対向する角部、に形成することにより、各穴部８，９を把手部として利用する規定の折り畳み形状に折り畳んだバッグ本体１０を容易に形成することができる。
【００９５】
同様に、穴部３８，３９の位置を、４つの角部のうち、第１基布２と第２基布３とに跨る中心Ｐを挟んで対向する角部、に形成することにより、各穴部８，９を把手部として利用する規定の折り畳み形状に折り畳んだバッグ本体３０を容易に形成することができる。
【００９６】
さらに、穴部８，９及び穴部２８，２９の位置を、４つの角部、に形成することにより、各穴部８，９又は穴部２８，２９を把手部として利用する規定の折り畳み形状に折り畳んだバッグ本体１０，３０を容易に形成することができる。
【００９７】
（その他の実施形態）
また、以上既に述べた以外にも、上記実施の形態による手法を適宜組み合わせて利用しても良い。
【００９８】
具体的には、上記実施の形態では、第１基布２及び第２基布３は、二等辺三角形状を呈しているとともに、その等辺で挟む長辺を接合辺２ａ，３ａとして接合したときの所定の展開形状が正方形を呈する一体シート状物１を構成した場合を例示したが、その所定の展開形状は正方形に限定されるものではない。
【００９９】
例えば、所定の展開形状は、図７に示すように、４つの角部をＲ状とした略正方形状の一体シート状物５１、或は、図８に示すように、真円形状の一体シート状物６１、さらには、図示を略す正多角形や長方形など、同一形状の半割からなる第１基布２及び第２基布３を備える接合物であれば、特に限定されるものではない。
【０１００】
その他、本発明は、その趣旨を逸脱しない範囲内において、種々の変更が加えられて実施されるものである。なお、上述した各手順の数字は他の手順との相違を示すためのものであり、各実施形態で示した３つの手順において相互に関連することを意味するものではない。同様に、実施形態ごとに示した手順に関しては、例えば、第１実施形態で示した第１折返手順と第２折返手順、或は、第２実施形態で示した第５折返手順と第６折返手順、は逆でもよい。
【０１０１】
以上説明したように、本発明に係る折畳式バッグ及び折畳式バッグの折り畳み方法は、バッグ本体のバリエーションを多機能化し得て汎用性を向上することができるという効果を有し、所定の展開形状を呈するシート状物を折り畳んで形成される折畳式バッグ全般に有用である。
【符号の説明】
【０１０２】
Ａ      折畳式バッグ
Ｂ      折畳式バッグ
１      一体シート状物
２      第１基布
２ａ    接合辺
３      第２基布
３ａ    接合辺
４      雄側係合面
５      雄側係合面
６      雌側係合面
７      雌側係合面
８      穴部
９      穴部
１０    バッグ本体
２０    バッグ本体
３０    バッグ本体
３１    一体シート状物
３２    第１基布
３３    第２基布
３４    雄側係合面
３５    雄側係合面
３６    雌側係合面
３７    雌側係合面
３８    穴部
３９    穴部
４１    一体シート状物
５１    一体シート状物
６１    一体シート状物
【図１】
2019098026.tif 000003
【図２】
2019098026.tif 000004
【図３】
2019098026.tif 000005
【図４】
2019098026.tif 000006
【図５】
2019098026.tif 000007
【図６】
2019098026.tif 000008
【図７】
2019098026.tif 000009
【図８】
2019098026.tif 000010